(57)【要約】【課題】安全且つ至便に郵便物を受け取り可能とする。【解決手段】私書箱ユニット１は、壁体２，２・・で囲まれたスペースに、各個別ボックス６の配達口７を外部に露出する格好で私書箱ボックス３，３を配置してなり、利用契約を行った会員は、携帯電話機を利用したＩＤ情報の送受信により、ドア４の施錠機構を解除してユニット１内に入室できる。また、各個別ボックス６にも、携帯電話機を利用したＩＤ情報の送受信によって解錠される施錠機構が設けられると共に、郵便物の有無を検出するセンサが設けられて、郵便物の到着を定期的に会員に通知するようになっている。一方、入口５側の壁体２には、宅配物等の物品の受け渡しボックス１１が設けられている。【選択図】  図１
2005023580.tif 000002
【特許請求の範囲】
【請求項１】
相対向する一方の面に配達口を、他方の面に扉で開閉可能な取出口を夫々有する個別ボックスを縦及び横方向へ複数列結合した私書箱ボックスと、
その私書箱ボックスを前記配達口を外側に開放させた状態で取り囲む壁体と、
その壁体に設けられ、ドアによって開閉可能な入口と、
前記ドアを施錠可能な第１施錠機構と、前記個別ボックスの扉を個別に施錠可能な第２施錠機構と、
前記個別ボックスの利用者のＩＤ情報を入力可能な入力手段と、前記ＩＤ情報を記憶可能な記憶手段と、
前記入力手段で入力されたＩＤ情報と前記記憶手段に予め記憶されたＩＤ情報とを比較して、両者が一致した場合に前記第１及び第２施錠機構を夫々解錠させる制御手段と、を備えてなる私書箱ユニット。
【請求項２】
各個別ボックス内の郵便物を検出する検出手段と、通信ネットワークへ接続可能な通信手段とを備えた請求項１に記載の私書箱ユニット。
【請求項３】
ＩＤ情報が利用者の携帯電話機の電話番号である請求項１または２に記載の私書箱ユニット。
【請求項４】
第３施錠機構を有する扉によって開閉可能な複数のロッカーからなる受け渡しボックスを、前記扉側を外側にして壁体に設け、制御手段は、入力手段と記憶手段とにおけるＩＤ情報の照合によって前記第３施錠機構も解錠可能とした請求項１乃至３の何れかに記載の私書箱ユニット。
【請求項５】
請求項２乃至４の何れかに記載の１または複数の私書箱ユニットと、その私書箱ユニットの利用者のＩＤ情報を発信可能な通信端末機と、前記私書箱ユニットと通信端末機とが通信ネットワークを介して接続される管理コンピュータとからなる私書箱管理システムであって、
前記管理コンピュータは、前記各私書箱ユニットにおける個別ボックスの使用情報を前記通信端末機に対して提供可能とすると共に、前記通信端末機から前記管理コンピュータへの接続時に前記個別ボックスの選択とＩＤ情報の入力とによる利用契約を可能とする情報提供手段と、
その情報提供手段において前記通信端末機から前記個別ボックスの利用契約がなされた場合に、その利用契約情報を選択された私書箱ユニットへ送信する契約情報送信手段と、
前記利用契約情報に従って利用者に前記個別ボックスの使用料金を請求する使用料金請求手段と、を備え、
前記私書箱ユニットの制御手段は、前記契約情報送信手段によって通知された個別ボックス内の郵便物を検出すると、その検出情報を定められた時間に当該個別ボックスの利用者の通信端末機へ送信する到着情報送信手段を備えることを特徴とする私書箱管理システム。
【請求項６】
通信端末機が携帯電話機であり、管理コンピュータは、個別ボックスの使用料金を前記携帯電話機の電話番号等に対して請求する請求項５に記載の私書箱管理システム。
【発明の詳細な説明】
【０００１】
【発明の属する技術分野】
本発明は、駅の構内等の任意の場所に設置可能な私書箱ユニットと、そのユニットを利用して郵便物等の受け渡しを可能とする私書箱管理システムとに関する。
【０００２】
【従来の技術】
郵便物の受け取りには、郵便局に設置される私書箱を利用する場合がある。しかし、この私書箱を利用するには郵便局まで足を運ぶ必要があって必ずしも至便とは言えない。そこで、特許文献１には、駅やコンビニエンスストア等の場所に、インターネット等を通じて利用契約できる個人用私書箱を簡易的に設置し、手紙等が届いた時点で契約者の電子メールアドレスや携帯電話に連絡するようにした簡易私書箱システムの発明が提示されている。
【０００３】
【特許文献１】
特開２００２−４６８２８号公報
【０００４】
【発明が解決しようとする課題】
しかし、上記特許文献１に係るシステムは、郵便物を自分に都合の良い場所とタイミングで受け取れるという至便性はあるものの、私書箱が人通りのある場所で開放状態で設置されているため、私書箱自体への悪戯や、郵便物の出し入れの際の盗難や個人情報の漏洩といったおそれがあり、セキュリティ上の問題があった。また、宅配物等の荷物の受け取りや受け渡しができないものでもあった。
【０００５】
そこで、本発明は、郵便局外の設置による至便性は維持しつつ、安心して郵便物や宅配物等の物品の受け取りが可能となる私書箱ユニットと、そのユニットを利用した私書箱管理システムとを提供することを目的としたものである。
【０００６】
【課題を解決するための手段】
上記目的を達成するために、請求項１に記載の発明は、私書箱ユニットの発明として、相対向する一方の面に配達口を、他方の面に扉で開閉可能な取出口を夫々有する個別ボックスを縦及び横方向へ複数列結合した私書箱ボックスと、その私書箱ボックスを前記配達口を外側に開放させた状態で取り囲む壁体と、その壁体に設けられ、ドアによって開閉可能な入口と、前記ドアを施錠可能な第１施錠機構と、前記個別ボックスの扉を個別に施錠可能な第２施錠機構と、前記個別ボックスの利用者のＩＤ情報を入力可能な入力手段と、前記ＩＤ情報を記憶可能な記憶手段と、前記入力手段で入力されたＩＤ情報と前記記憶手段に予め記憶されたＩＤ情報とを比較して、両者が一致した場合に前記第１及び第２施錠機構を夫々解錠させる制御手段と、を備えてなる私書箱ユニットとしたものである。
【０００７】
請求項２に記載の発明は、請求項１の目的に加えて、管理システムへの利用に好適な私書箱ユニットとするために、各個別ボックス内の郵便物を検出する検出手段と、通信ネットワークへ接続可能な通信手段とを備えたものである。
請求項３に記載の発明は、請求項１または２の目的に加えて、ＩＤ情報に係る利用者の至便性をより高めるために、ＩＤ情報を利用者の携帯電話機の電話番号としたものである。
請求項４に記載の発明は、請求項１乃至３の何れかの目的に加えて、郵便物に限らず、宅配物等の物品の受け取りに係る至便性も向上させるために、第３施錠機構を有する扉によって開閉可能な複数のロッカーからなる受け渡しボックスを、扉側を外側にして壁体に設け、制御手段は、入力手段と記憶手段とにおけるＩＤ情報の照合によって第３施錠機構も解錠可能としたものである。
【０００８】
上記目的を達成するために、請求項５に記載の発明は、管理システムの発明として、請求項２乃至４の何れかに記載の１または複数の私書箱ユニットと、その私書箱ユニットの利用者のＩＤ情報を発信可能な通信端末機と、前記私書箱ユニットと通信端末機とが通信ネットワークを介して接続される管理コンピュータとからなる私書箱管理システムであって、前記管理コンピュータは、前記各私書箱ユニットにおける個別ボックスの使用情報を前記通信端末機に対して提供可能とすると共に、前記通信端末機から前記管理コンピュータへの接続時に前記個別ボックスの選択とＩＤ情報の入力とによる利用契約を可能とする情報提供手段と、その情報提供手段において前記通信端末機から前記個別ボックスの利用契約がなされた場合に、その利用契約情報を選択された私書箱ユニットへ送信する契約情報送信手段と、前記利用契約情報に従って利用者に前記個別ボックスの使用料金を請求する使用料金請求手段と、を備え、前記私書箱ユニットの制御手段は、前記契約情報送信手段によって通知された個別ボックス内の郵便物を検出すると、その検出情報を定められた時間に当該個別ボックスの利用者の通信端末機へ送信する到着情報送信手段を備えることを特徴とするものである。
【０００９】
請求項６に記載の発明は、請求項５の目的に加えて、個別ボックスの使用料金の請求を容易に行うために、通信端末機を携帯電話機とし、管理コンピュータは、個別ボックスの使用料金を携帯電話機の電話番号等に対して請求する構成としたものである。
【００１０】
【発明の実施の形態】
以下、本発明の実施の形態を図面に基づいて説明する。
図１は、本発明の私書箱ユニットの一実施例を示すもので、私書箱ユニット（以下「ユニット」という。）１は、四方を壁体２，２・・で囲まれたスペース内に、一対の私書箱ボックス３，３を相対向させて平行に配置してなり、施錠機構を備えたドア４によって開閉される入口５からユニット１内に出入りできるようになっている。私書箱ボックス３は、ここでは縦に８段、横に８列の個別ボックス６，６・・が区画形成された金属製の箱体で、各個別ボックス６における相対向する一方の面側には、郵便物の配達口７が開口形成されて各ボックス番号が表示されている。また、各個別ボックス６の他方の面側には、郵便物の取出口が形成されるが、この取出口には、施錠機構を有して同様に各ボックス番号が表示された横開きの扉８が夫々設けられている。９は扉８に設けられたガラス窓、１０は扉８の施錠状態を示すランプで、各個別ボックス６内には、郵便物の検出手段としてのセンサ（ここでは赤外線センサ）が設けられている。この私書箱ボックス３，３は、配達口７が設けられる面がユニット１の外部に露出して壁体２の一部となるように設置される。
【００１１】
一方、入口５側の壁体２には、宅配物等の物品の受け渡しボックス１１が、正面を外部に向けて私書箱ボックス３と同様に壁体２の一部となる格好で設けられている。この受け渡しボックス１１には、コントロールパネル１２と、一定の大きさの物品を収納でき、施錠機構を備えた大小複数のロッカー１３，１３・・とが設けられている。各ロッカー１３の表面には、空き状態を知らせるランプ１４が設けられ、内部には、物品の有無を検出するセンサ（ここでは赤外線センサ）が設けられている。
このユニット１は、駅や空港、バスターミナル等の交通施設を始め、公共施設、ショッピングセンターやコンビニエンスストア等の利便性のある場所に一箇所或いは複数箇所に設置される。
【００１２】
図２は、ユニット１の制御システムを示すブロック図で、まずコントロールパネル１２には、カレンダー機能やタイマー機能等を備えて各種の演算処理を行うＣＰＵ（中央演算処理装置）１６及び、ＣＰＵ１６が動作するための各種プログラムの他、ＩＤ情報等の各種データが格納可能なメモリ（記憶手段）１７からなる制御手段としての制御部１５と、ＣＰＵ１６に接続され、電話機能を有して携帯電話機１９等との通信手段となる送受信部１８とが設けられている。この送受信部１８は、通信ネットワークとしてのインターネット２０を介して外部のデータセンター２１に設けられた管理コンピュータ２２にアクセス可能ともなっている。
【００１３】
また、制御部１５は、ドア４の第１施錠機構２３、各個別ボックス６ごとの扉８の第２施錠機構２４、各ロッカー１３ごとの第３施錠機構２５を夫々個別に動作制御可能で、各個別ボックス６内の第１センサ２６，２６・・及び各ロッカー１３内の第２センサ２７，２７・・の検出信号が入力可能となっている。なお、ＣＰＵ１６は、第１、第２センサ２６，２７からの検出信号の有無、すなわち、個別ボックス６やロッカー１３の利用状況を確認して、送受信部１８を介して当該利用状況データを管理コンピュータ２２に送信すると共に、後述する私書箱管理システムに従って郵便物の到着を会員にも知らせることができる。
【００１４】
また、コントロールパネル１２には、テンキー２８と、液晶等の表示装置２９と、スピーカー３０と、プリンタ３１とが配置されて、夫々制御部１５と接続されている。同様に各個別ボックス６及びロッカー１３のランプ１０，１４も制御部１５に接続されている。なお、このテンキー２８、表示装置２９、スピーカー３０は、ユニット１内の壁体２に設けた操作パネル３２にも設置されて、夫々制御部１５に接続されている。
【００１５】
ここで使用される携帯電話機１９は、インターネットが利用可能な携帯電話機であり、ＩＤ情報として自己の電話番号を発信できるものである。すなわち、携帯電話機１９に設けられたディスプレイ３３とテンキー３４とを利用した入力操作によって、インターネット接続サービス等の各種オンラインサービスが利用できるのに加え、他の携帯電話機やパーソナルコンピュータとの間でいわゆるｅ−ｍａｉｌ  （電子メール）が送受信可能なものである。このような携帯電話機としては、例えば、株式会社ＮＴＴドコモが提供するｉモード（登録商標）対応のものが使用できる。勿論ＰＨＳ（Ｐｅｒｓｏｎａｌ  Ｈａｎｄｙｐｈｏｎｅ  Ｓｙｓｔｅｍ）も含まれる。
【００１６】
以上の如く構成されたユニット１を利用した私書箱管理システム（以下「本システム」という。）を図３，４のフローチャートに従って説明する。
まず、郵便物や物品の受け取りのために本システムの利用を希望する者は、予めデータセンター２１の図示しないサーバ装置がインターネット上に情報提供手段として提供するウェブサイトにおいて、住所、氏名、携帯電話機の電話番号、金融機関の口座番号、クレジット番号等を登録し、会員（利用者）となることができる。また、このウェブサイト上では、１箇所または複数箇所に設置されたユニット１と、そのユニット１で未契約の個別ボックス６及びロッカー１３との情報が提供されているため、会員は、携帯電話機１９若しくはパーソナルコンピュータによって希望する個別ボックス６を選択して所定期間（月ごとや年ごと等）の利用契約を結ぶことができる（Ｓ１）。さらに、使用料金は、月ごと或いは年ごとの料金として、携帯電話機１９の電話番号に対して請求される（使用料金請求手段）。具体的な支払いは、指定された金融機関の口座からの自動引き落としや振り込みによって行われる。
【００１７】
利用契約が結ばれると、Ｓ２では、データセンター２１から会員の携帯電話機の電話番号や契約ボックス番号等の必要な情報が、選択されたユニット１の制御部１５に送受信部１８を介して送られ（契約情報送信手段）、メモリ１７に記憶される。こうして自分用の私書箱（個別ボックス６）を得た会員は、郵便物の配達場所を予めユニット１のボックス番号に指定しておけば、郵便物は指定された個別ボックス６の配達口７に投入されることになる。
そして、Ｓ３の判別で第１センサ２６によって郵便物が確認され、Ｓ４で予め定められた報知時間（複数の定時間や所定時間おき等）になると、ＣＰＵ１６は、Ｓ５で送受信部１８から当該個別ボックス６を使用する会員に郵便物の到着を知らせる（到着情報送信手段）。この連絡は、会員の携帯電話機１９や携帯情報端末機、パソコン等に音声や文字等によって行われる。
【００１８】
連絡を受けた会員は、該当するユニット１まで出向き、コントロールパネル１２の表示装置２９或いは入口５付近に表示される解錠用の電話番号へ携帯電話機１９で電話をする（Ｓ６）。すると、当該携帯電話機１９の電話番号がＩＤ情報として送受信部１８へ送信されるため、ＣＰＵ１６は、Ｓ７で、受信した電話番号がメモリ１７に記憶されている電話番号か否かを判別し、電話番号が一致すれば、続くＳ８で、表示装置２９での表示かスピーカー３０からの音声案内等で、私書箱ボックス３と受け渡しボックス１１との何れを利用するかを選択するように、利用者にテンキー２８若しくは携帯電話機１９のテンキー３４の押し操作（例えば私書箱ボックス３なら「１＃」、受け渡しボックス１１なら「２＃」等）を促す。なお、Ｓ７の判別で電話番号が一致しなければ、解錠を行わず、表示装置２９への表示か音声案内等でその旨を通知する（Ｓ９）。そして、Ｓ８で私書箱ボックス３の利用が選択されると、Ｓ１０でＣＰＵ１６は、第１施錠機構２３を解錠させて入口５のドア４を開放可能として、電話回線を切断する。よって、会員はユニット１内に入室することができる。
【００１９】
ユニット１内に入室した会員は、ここでもう一度Ｓ６と同じ電話番号へ携帯電話機１９で電話をする（Ｓ１１）。よって、当該携帯電話機１９の電話番号を得たＣＰＵ１６は、Ｓ１２で、記憶されている電話番号と照合し、電話番号が一致すれば、Ｓ１３で操作パネル３２の表示装置２９での表示か音声案内等で、利用する個別ボックス６の番号を入力するように、利用者にテンキー２８または３４の操作を促す。ここで電話番号が一致しなければ、Ｓ１４で利用不能として、表示装置２９等でその旨を通知しても良いが、入室の際に一度確認済みであるので、再度の電話を促しても良い。
【００２０】
Ｓ１３で個別ボックス６の番号が入力されると、Ｓ１５では、そのボックス番号が利用契約した会員のボックス番号か否かを判別し、同じボックス番号であれば、Ｓ１６でＣＰＵ１６は、当該ボックス６の第２施錠機構２４を解錠すると共に、電話回線を切断する。なお、ボックス番号が不一致であれば、Ｓ１７で解錠を行わずに表示装置２９等で再操作を促す。この場合、不一致が複数回（例えば２回）続くと利用不能とするのが望ましい。
【００２１】
次に、Ｓ１８で、会員が個別ボックス６の扉８を開けて郵便物を取出し、扉８を閉めると、ＣＰＵ１６は、Ｓ１９で郵便物の取出しを第１センサ２６で確認し、確認されるとＳ２０で第２施錠機構２４を動作させて当該個別ボックス６を施錠する。なお、解錠から所定時間内に郵便物の取出しがなされない場合は、表示装置２９での表示か音声案内等で郵便物の取出しを促し、それでも取り出されない場合は扉８を施錠する。郵便物の取出し確認と同時にＣＰＵ１６は、その取出し情報を送受信部１８を介して管理コンピュータ２２へ通知し、管理コンピュータ２２に記録させる。
こうして郵便物を取り出した会員はユニット１から退室する。なお、入口５のドア４は、内部からは手動で解錠させて開くことができ、ドア４の閉動作と共に第１施錠機構２３が自動的に作動するオートロックとなっている。
【００２２】
続いて、受け渡しボックス１１を利用する場合の基本的な手順を説明する。まず、図３におけるＳ８の判別で受け渡しボックス１１の利用を選択した場合、図４のＳ３１で、物品の入庫と出庫との何れかの番号（例えば入庫なら「０１＃」、出庫なら「０２＃」等）を選択するよう会員にテンキー２８若しくは３４の操作を促す。ここで入庫の指示がなされると、Ｓ３２で使用されていない空きロッカー１３のランプ１４を点滅させて、使用できるロッカー１３を知らせる。
【００２３】
よって、Ｓ３３で会員が使用したいロッカー１３の番号をテンキー２８若しくは３４で指定すると、ＣＰＵ１６は、指定されたロッカー１３の第３施錠機構２５を解錠するため、会員は、当該ロッカー１３の扉を開けて物品を入れることができる（Ｓ３５）。なお、ロッカー１３の利用に係る基本料金は、Ｓ３４での解錠に伴い、携帯電話機１９の電話番号に対して課金される。
次に、Ｓ３６で第２センサ２７によって物品の入庫を確認したＣＰＵ１６は、Ｓ３７で第３施錠機構２５によって当該ロッカー１３を施錠すると共に、時間制料金の課金を開始して携帯電話機１９との間の電話回線を切断する。なお、解錠から所定時間内に入庫が確認されない場合は、表示装置２９での表示等で物品の入庫を促し、それでも入庫がない場合は、第３施錠機構２５を動作させる。
【００２４】
次に、会員は、表示装置２９及び音声の指示に従って受取人の指定を行う（Ｓ３８）。例えば、受取人が自分の場合には「１１＃」、第三者の場合には「１２＃」というようにテンキー２８での操作を促す。ここで受取人が第三者の場合は、会員はテンキー２８によって受取人のＩＤ情報として、電話番号またはｅ−ｍａｉｌアドレスを入力しておく（Ｓ３９）。なお、受取人は、物品の転送のために、予め電話番号やｅ−ｍａｉｌアドレスを管理コンピュータ２２に登録させた提携業者を指定することもできる（「１３＃」）。
こうして受取人の指定が行われると、Ｓ４０で、利用日時や預入人、受取人、ロッカー番号等の利用記録がメモリ１７に記録されてプリンタ３１で印刷され、同時に送受信部１８からこれらの利用記録が管理コンピュータ２２にも送られる。そして、管理コンピュータ２２は、指定された受取人の携帯電話機またはコンピュータ等の端末に、インターネットを介して、物品が預けられたユニット１の場所や、受け渡しボックス１１及びロッカー番号等の情報を通知する。
【００２５】
一方、出庫の場合、物品の預入通知を受け取った受取人（受取人が自分の場合も同じ）は、指定されたユニット１へ出向き、図３で説明したＳ６〜Ｓ８の手順によって携帯電話機１９によってユニット１に電話し、Ｓ３１で出庫の指示を行う。
よって、Ｓ４１の判別で、ＣＰＵ１６は、通知された電話番号と記録されている受取人の電話番号とを照合し、それが一致した場合には、受取人に利用するロッカー１３の番号の入力を促す。Ｓ４２でロッカー番号が入力され、続くＳ４４の判別でそれが記録されたロッカー番号と一致すれば、当該ロッカー１３の第３施錠機構２５を解錠して課金を停止し、電話回線を切断する（Ｓ４５）。なお、Ｓ４１で電話番号が一致しない場合や、Ｓ４４で利用ロッカーの番号が一致しない場合は、その旨を表示装置２９に表示して出庫不能とする（Ｓ４３，４６）。
【００２６】
Ｓ４７で受取人がロッカー１３から物品を取出し、扉を閉めると、ＣＰＵ１６はＳ４８で第２センサ２７によって物品の取出しを確認する。取出しが確認されると、Ｓ４９で当該ロッカー１３を施錠し、受け取り日時、預入人、受取人、ロッカー番号等の利用記録をプリンタ３１で印刷し、同時に送受信部１８からこれらの利用記録を管理コンピュータ２２に通知する。なお、受取人が預入人と異なる場合は、管理コンピュータ２２は預入人に対して、受取人によって物品が取り出されたことをｅ−ｍａｉｌ等によって通知する。
【００２７】
このように上記形態のユニット１及びそれを利用した本システムによれば、郵便局外での設置による至便性に加え、外部と区画されたスペース内で郵便物の取り出しが可能となるため、利用者は安心して郵便物を受け取ることができる。また、ユニット１への入室はＩＤ情報の照合で許容されるため、セキュリティ上の効果はより高くなる。
特に、本システムにおいては、通信端末機で個別ボックスの利用契約を行えると共に、郵便物の到着情報を定期的に会員へ送信することができるため、ユニット１をより簡単且つ効率的に利用できる。
【００２８】
また、各個別ボックス６内の郵便物を検出する第１センサ２６と、インターネットへ接続可能な送受信部１８とを備えているから、本システムへの利用に好適なユニット１となっている。
また、ＩＤ情報を利用者の携帯電話機の電話番号としているから、ＩＤ情報の受け渡しに係る利用者の至便性がより高くなっている。
また、ユニット１に受け渡しボックス１１を設けて、制御部１５は、ＩＤ情報の照合によってロッカー２５の第３施錠機構２５も解錠可能としているから、郵便物に加えて宅配物等の物品も同一箇所で受け取り可能となり、利用者の至便性がより向上すると共に、私書箱ボックス３との制御部の共通化によって構成の合理化も可能となっている。
【００２９】
そして、通信端末機を携帯電話機１９として、管理コンピュータ２２は、個別ボックス６の使用料金を携帯電話機１９の電話番号に対して請求する構成であるから、個別ボックス６の使用料金の請求を容易に行うことができる。
【００３０】
なお、本発明は、上記実施の形態の態様に限らず、本発明の趣旨を逸脱しない範囲で例えば以下のように変更可能である。
（１）  ユニット内に設ける私書箱ボックスの数を増減する。或いは私書箱ボックスに設ける個別ボックスの数を増減する。また、ユニット内での私書箱ボックスの数や配置によっては、ユニット内部に仕切を設けたり、郵便物の開封のためにユニット内でさらに個室を設けたりすることもできる。勿論ユニットの平面形状も矩形に限らず、Ｌ型や凸型としたり、片面に私書箱ボックスを直線上に並べて一方向に長くしたり等しても差し支えない。
（２）  ユニットへの入口と出口とを別にする。人の出入りがスムーズになって使い勝手が良くなる。
（３）  コントロールパネルや操作パネルにカードリーダーを設けて、各施錠機構の解錠をＪＩＳ−２規格カード等の読み取りによる認証で行う。
（４）  ユニットに天井や床を一体に設けたり、壁体の一部又は全部をガラス張りにしたりする。特にガラス張りにすれば、ユニット内部での悪戯や犯罪行為等の防止に繋がる。また、ガラス張りに代えて、ユニット内に監視カメラを設けて、常時或いは入室時に作動するようにしても良い。
【００３１】
（５）  郵便物や物品の検出手段として、赤外線センサ以外に接触型のセンサや重量センサ等の他のセンサを用いる。
（６）  利用料金の課金は、電話番号に対して行うものに限らず、カードリーダによるクレジットカードの読み込みとテンキーでの暗証番号の入力操作とによって行うようにしても良い。
（７）  受け渡しボックスは会員のみに限定して利用させるものに限らず、不特定多数のものにも携帯電話機を用いた認証によって利用可能とすることもできる。また、ウェブサイト上で空きロッカー情報の提供と予約とを可能にしたり、任意のロッカーを私書箱ボックスと同様に月極等で利用契約を結んで一定期間パーソナルボックスとして使用することも可能である。
（８）  ＩＤ情報としては、携帯電話機の電話番号以外に所定の桁数の暗証番号等も使用できる。
（９）  携帯電話機の電話番号の認証は、ユニットへの入室の際と個別ボックスの解錠の際とに２回行うものに限らず、ユニットへの入室の際の認証で同時に該当する個別ボックスの施錠機構も解錠させるようにすることもできる。
【００３２】
【発明の効果】
請求項１及び５に記載の発明によれば、郵便局外での設置による至便性に加え、外部と区画されたスペース内で郵便物の取り出しが可能となるため、利用者は安心して郵便物を受け取ることができる。また、私書箱ユニットへの入室はＩＤ情報の照合で許容されるため、セキュリティ上の効果はより高くなる。
特に、私書箱管理システムにおいては、通信端末機で個別ボックスの利用契約を行えると共に、郵便物の到着情報を定期的に会員へ送信することができるため、私書箱ユニットをより簡単且つ効率的に利用可能となる。
【００３３】
請求項２に記載の発明によれば、請求項１の効果に加えて、各個別ボックス内の郵便物を検出する検出手段と、通信ネットワークへ接続可能な通信手段とを備えたことで、管理システムへの利用に好適な私書箱ユニットを得ることができる。
請求項３に記載の発明によれば、請求項１または２の効果に加えて、ＩＤ情報を利用者の携帯電話機の電話番号としたことで、ＩＤ情報に係る利用者の至便性がより高くなっている。
請求項４に記載の発明によれば、請求項１乃至３の何れかの効果に加えて、前記受け渡しボックスを設けて、制御手段はＩＤ情報の照合によって第３施錠機構も解錠可能としているから、郵便物に加えて宅配物等の物品も同一箇所で受け取り可能となり、利用者の至便性がより向上すると共に、私書箱ボックスとの制御部の共通化によって構成の合理化も可能となっている。
【００３４】
請求項６に記載の発明によれば、請求項５の効果に加えて、通信端末機を携帯電話機とし、管理コンピュータは、個別ボックスの使用料金を携帯電話機の電話番号等に対して請求することで、個別ボックスの使用料金の請求を容易にすることができる。
【図面の簡単な説明】
【図１】私書箱ユニットの全体図である。
【図２】私書箱ユニット及び私書箱管理システムの制御ブロック図である。
【図３】私書箱管理システムのフローチャートである。
【図４】受け渡しボックスでの物品の受け渡し手順のフローチャートである。
【符号の説明】
１・・私書箱ユニット、２・・壁体、３・・私書箱ボックス、５・・入口、６・・個別ボックス、７・・配達口、８・・扉、１１・・受け渡しボックス、１２・・コントロールパネル、１３・・ロッカー、１５・・制御部、１６・・ＣＰＵ、１７・・メモリ、１８・・送受信部、１９・・携帯電話機、２０・・インターネット、２１・・データセンター、２２・・管理コンピュータ、２３・・第１施錠機構、２４・・第２施錠機構、２５・・第３施錠機構、２８・・テンキー、２９・・表示装置、３２・・操作パネル。
【図１】
2005023580.tif 000003
【図２】
2005023580.tif 000004
【図３】
2005023580.tif 000005
【図４】
2005023580.tif 000006